(57)【要約】【課題】ユーザが特定の本編ページを閲覧しようとして付録ページが挿入されたページを開いてしまった場合でも、特定の本編ページを容易に探し出すことが可能な印刷物を出力できるようにする。【解決手段】画像形成装置１は、予め指定された本編画像のページ間に付録画像のページを挿入して印刷出力することが可能である。この画像形成装置１は、本編画像の各ページに対して本編ページ番号を付与すると共に、本編画像のページ間に挿入される付録画像の各ページに対して本編ページ番号とは異なる補助ページ番号を付与するように構成されており、付録画像の各ページに対する補助ページ番号を付与する際には、指定された付録画像のページの挿入位置と、指定された付録画像の連続ページ数とに基づき、直近の本編ページ番号を指し示す補助ページ番号を設定する。【選択図】図４
2012066418.tif 000002
【特許請求の範囲】
【請求項１】
シート材に対して複数ページから成る本編画像をページ毎に順次印刷して出力する際、予め指定された本編画像のページ間に付録画像のページを挿入して印刷出力する画像形成装置であって、
本編画像に対する付録画像の挿入位置として、本編画像のページ番号を指定する挿入位置指定手段と、
前記挿入位置指定手段によって指定された挿入位置に挿入される付録画像の連続ページ数を指定する付録画像指定手段と、
本編画像の各ページに対して本編ページ番号を付与すると共に、本編画像のページ間に挿入される付録画像の各ページに対して本編ページ番号とは異なる補助ページ番号を付与するページ番号付与手段と、
本編画像のページ間に付録画像のページを挿入して印刷出力する際に、本編画像のページに対して本編ページ番号を印刷し、付録画像のページに対して補助ページ番号を印刷して出力する画像形成手段と、
を備え、
前記ページ番号付与手段は、付録画像の各ページに対する補助ページ番号を付与する際、前記挿入位置指定手段によって指定された付録画像のページの挿入位置と、前記付録画像指定手段によって指定された付録画像の連続ページ数とに基づき、直近の本編ページ番号を指し示す補助ページ番号を設定することを特徴とする画像形成装置。
【請求項２】
前記ページ番号付与手段は、前記付録画像指定手段によって指定された付録画像の連続ページ数が２ページ以上である場合に、付録画像の各ページに対して補助ページ番号を付与し、連続ページ数が１ページである場合には付録画像のページに対して補助ページ番号を付与しないことを特徴とする請求項１に記載の画像形成装置。
【請求項３】
前記ページ番号付与手段は、前記付録画像指定手段によって指定された付録画像の連続ページ数が２ページである場合、冊子として出力された印刷物を見開いたときに２ページ分の付録画像が左右の両ページに位置するか否かを判断し、２ページ分の付録画像が左右の両ページに位置する場合には付録画像の各ページに対して補助ページ番号を付与し、２ページ分の付録画像が左右いずれかの片方のページにのみ位置する場合には付録画像の各ページに対して補助ページ番号を付与しないことを特徴とする請求項１又は２に記載の画像形成装置。
【請求項４】
前記ページ番号付与手段は、前記付録画像指定手段によって指定された付録画像の連続ページ数が複数ページである場合、連続する付録画像のページ毎に補助ページ番号を加算して更新する一方、本編ページ番号の番号は更新しないことを特徴とする請求項１乃至３のいずれかに記載の画像形成装置。
【請求項５】
前記ページ番号付与手段は、連続する付録画像のページ毎に補助ページ番号を付与する際、その前後直近の本編画像に対応する本編ページ番号と、その本編ページ番号から当該付録画像までのページ数とを合わせて表記した補助ページ番号を付与することを特徴とする請求項１乃至４のいずれかに記載の画像形成装置。
【請求項６】
前記ページ番号付与手段は、連続する付録画像のページ毎に補助ページ番号を付与する際、その前後直近の本編画像に対応する本編ページ番号と、連続する付録画像の全ページ数における当該付録画像のページ番号とを合わせて表記した補助ページ番号を付与することを特徴とする請求項１乃至４のいずれかに記載の画像形成装置。
【請求項７】
シート材に対して複数ページから成る本編画像をページ毎に順次印刷して出力する際、予め指定された本編画像のページ間に付録画像のページを挿入して印刷出力するための画像形成方法であって、
本編画像に対する付録画像の挿入位置として、本編画像のページ番号を指定する挿入位置指定ステップと、
前記挿入位置指定ステップによって指定される挿入位置に挿入される付録画像の連続ページ数を指定する付録画像指定ステップと、
本編画像の各ページに対して本編ページ番号を付与すると共に、本編画像のページ間に挿入される付録画像の各ページに対して本編ページ番号とは異なる補助ページ番号を付与するページ番号付与ステップと、
本編画像のページ間に付録画像のページを挿入して印刷出力する際に、本編画像のページに対して本編ページ番号を印刷し、付録画像のページに対して補助ページ番号を印刷して出力する画像形成ステップと、
を備え、
前記ページ番号付与ステップは、付録画像の各ページに対する補助ページ番号を付与する際、前記挿入位置指定ステップによって指定された付録画像の挿入位置と、前記付録画像指定ステップによって指定された付録画像の連続ページ数とに基づき、直近の本編ページ番号を指し示す補助ページ番号を設定することを特徴とする画像形成方法。
【発明の詳細な説明】
【技術分野】
【０００１】
本発明は、画像形成装置および画像形成方法に関し、特に、印刷用紙などのシート材に対して印刷する本編画像のページ間に付録画像のページを挿入して印刷する際のページ番号を付与する技術に関する。
【背景技術】
【０００２】
従来、デジタル複合機やＭＦＰ（Multi Function Peripheral）などと呼ばれる画像形成装置において、ページ番号が付与されていない原稿などの印刷画像データを取得した場合、内部処理で各ページの画像にページ番号を付与して印刷出力を行うことができるようにしたものが提案されている。また、このような画像形成装置では、印刷画像データに含まれる特定のページの画像を印刷するときにはページ番号を印刷しないように設定することも可能である。
【０００３】
例えば特許文献１には、複数ページの転写紙を出力する際に転写紙の間に挿入紙を挿入して出力することが可能な画像形成装置において挿入紙に対するページ番号の印字を、実施、不実施又はスキップのいずれかを選択して設定することが可能であり、実施又は不実施が選択されたときにはページ番号をカウントし、スキップが選択されたときにはページ番号をカウントしないようにした技術が開示されている。このような従来技術によれば、例えば、大学や研究機関などで論文を作成して印刷出力を行う際、論文の本編を構成する本編ページの間に、参考文献などを付録ページとして挿入して印刷することが可能であり、本編ページの間に挿入される付録ページにはページ番号を印刷せずに出力することができる。
【０００４】
また、この他にも、例えば企業などにおいて外部に頒布するための出版物を作成する場合、本編ページの間に、広告やクーポンなどを集めた付録ページを挿入することにより、出版費用を広告費などで賄って出版するということが行われる。このような場合にも、広告やクーポンなどを集めた付録ページは、当該出版物の本編ページとは異なるため、付録ページにはページ番号を印刷せずに出力することができる。
【先行技術文献】
【特許文献】
【０００５】
【特許文献１】特開２００１−３４７７３５号公報
【発明の概要】
【発明が解決しようとする課題】
【０００６】
ところが、上記のようにして出力された印刷物の特定の本編ページを閲覧しようとして印刷物を開いたときに、参考文献や広告などの付録ページが挿入された箇所を開いてしまうことがある。この場合、付録ページがその前後に連続していると、ページ番号が印刷されていないため、閲覧しようとしている本編ページがその付録ページの前にあるのか、或いは後にあるのかが判らない。また、開いている付録ページの前後に更なる付録ページがどれだけ連続しているのかも判らないため、閲覧したい本編ページを開くまでに時間がかかってしまい、印刷物としての利便性が悪いという問題がある。
【０００７】
そこで本発明は、上記従来の問題点を解決するためになされたものであり、特定の本編ページを閲覧しようとして印刷物を開いたときに付録ページが挿入されたページを開いてしまった場合でも、特定の本編ページを容易に探し出すことができるようにした印刷物を出力する画像形成装置および画像形成方法を提供することを目的とするものである。
【課題を解決するための手段】
【０００８】
上記目的を達成するため、請求項１にかかる発明は、シート材に対して複数ページから成る本編画像をページ毎に順次印刷して出力する際、予め指定された本編画像のページ間に付録画像のページを挿入して印刷出力する画像形成装置であって、本編画像に対する付録画像の挿入位置として、本編画像のページ番号を指定する挿入位置指定手段と、前記挿入位置指定手段によって指定された挿入位置に挿入される付録画像の連続ページ数を指定する付録画像指定手段と、本編画像の各ページに対して本編ページ番号を付与すると共に、本編画像のページ間に挿入される付録画像の各ページに対して本編ページ番号とは異なる補助ページ番号を付与するページ番号付与手段と、本編画像のページ間に付録画像のページを挿入して印刷出力する際に、本編画像のページに対して本編ページ番号を印刷し、付録画像のページに対して補助ページ番号を印刷して出力する画像形成手段と、を備え、前記ページ番号付与手段は、付録画像の各ページに対する補助ページ番号を付与する際、前記挿入位置指定手段によって指定された付録画像のページの挿入位置と、前記付録画像指定手段によって指定された付録画像の連続ページ数とに基づき、直近の本編ページ番号を指し示す補助ページ番号を設定することを特徴とする構成である。
【０００９】
請求項２にかかる発明は、請求項１に記載の画像形成装置において、前記ページ番号付与手段は、前記付録画像指定手段によって指定された付録画像の連続ページ数が２ページ以上である場合に、付録画像の各ページに対して補助ページ番号を付与し、連続ページ数が１ページである場合には付録画像のページに対して補助ページ番号を付与しないことを特徴とする構成である。
【００１０】
請求項３にかかる発明は、請求項１又は２に記載の画像形成装置において、前記ページ番号付与手段は、前記付録画像指定手段によって指定された付録画像の連続ページ数が２ページである場合、冊子として出力された印刷物を見開いたときに２ページ分の付録画像が左右の両ページに位置するか否かを判断し、２ページ分の付録画像が左右の両ページに位置する場合には付録画像の各ページに対して補助ページ番号を付与し、２ページ分の付録画像が左右いずれかの片方のページにのみ位置する場合には付録画像の各ページに対して補助ページ番号を付与しないことを特徴とする構成である。
【００１１】
請求項４にかかる発明は、請求項１乃至３のいずれかに記載の画像形成装置において、前記ページ番号付与手段は、前記付録画像指定手段によって指定された付録画像の連続ページ数が複数ページである場合、連続する付録画像のページ毎に補助ページ番号を加算して更新する一方、本編ページ番号の番号は更新しないことを特徴とする構成である。
【００１２】
請求項５にかかる発明は、請求項１乃至４のいずれかに記載の画像形成装置において、前記ページ番号付与手段は、連続する付録画像のページ毎に補助ページ番号を付与する際、その前後直近の本編画像に対応する本編ページ番号と、その本編ページ番号から当該付録画像までのページ数とを合わせて表記した補助ページ番号を付与することを特徴とする構成である。
【００１３】
請求項６にかかる発明は、請求項１乃至４のいずれかに記載の画像形成装置において、前記ページ番号付与手段は、連続する付録画像のページ毎に補助ページ番号を付与する際、その前後直近の本編画像に対応する本編ページ番号と、連続する付録画像の全ページ数における当該付録画像のページ番号とを合わせて表記した補助ページ番号を付与することを特徴とする構成である。
【００１４】
請求項７にかかる発明は、シート材に対して複数ページから成る本編画像をページ毎に順次印刷して出力する際、予め指定された本編画像のページ間に付録画像のページを挿入して印刷出力するための画像形成方法であって、本編画像に対する付録画像の挿入位置として、本編画像のページ番号を指定する挿入位置指定ステップと、前記挿入位置指定ステップによって指定される挿入位置に挿入される付録画像の連続ページ数を指定する付録画像指定ステップと、本編画像の各ページに対して本編ページ番号を付与すると共に、本編画像のページ間に挿入される付録画像の各ページに対して本編ページ番号とは異なる補助ページ番号を付与するページ番号付与ステップと、本編画像のページ間に付録画像のページを挿入して印刷出力する際に、本編画像のページに対して本編ページ番号を印刷し、付録画像のページに対して補助ページ番号を印刷して出力する画像形成ステップと、を備え、前記ページ番号付与ステップは、付録画像の各ページに対する補助ページ番号を付与する際、前記挿入位置指定ステップによって指定された付録画像の挿入位置と、前記付録画像指定ステップによって指定された付録画像の連続ページ数とに基づき、直近の本編ページ番号を指し示す補助ページ番号を設定することを特徴とする構成である。
【発明の効果】
【００１５】
本発明によれば、付録画像の各ページに対する補助ページ番号を付与する際、指定された付録画像のページの挿入位置と、指定された付録画像の連続ページ数とに基づき、直近の本編ページ番号を指し示す補助ページ番号を設定する。そのため、印刷出力された印刷物を開いたときに付録画像が挿入されたページを開いてしまった場合でも、直近の本編ページ番号を指し示す補助ページ番号により、特定の本編ページを容易に探し出すことができるようになる。それ故、利便性の高い印刷物を出力することが可能である。
【図面の簡単な説明】
【００１６】
【図１】画像形成装置の外観構成の一例を示す斜視図である。
【図２】挿入印刷機能の概念を説明する図である。
【図３】画像形成装置のハードウェア構成の一例を示すブロック図である。
【図４】画像形成装置において挿入印刷が行われる際の制御部の機能構成の一例を示すブロック図である。
【図５】挿入印刷設定部によって操作パネルの表示部に表示される設定操作画面を示す図である。
【図６】付録画像のページに印刷される補助ページ番号の一例を示す図である。
【図７】挿入印刷によって出力される各ページに印刷されるページ番号の一例を表した図である。
【図８】付録画像のページに印刷される補助ページ番号の別の例を示す図である。
【図９】挿入印刷によって出力される各ページに印刷されるページ番号の一例を表した図である。
【図１０】冊子印刷で付録画像の連続ページ数が２ページのときに補助ページ番号が印刷されるページ配置状態を示す図である。
【図１１】冊子印刷で付録画像の連続ページ数が２ページのときに補助ページ番号が印刷されないページ配置状態を示す図である。
【図１２】画像形成装置において主に制御部によって行われるメインの処理手順の一例を示すフローチャートである。
【図１３】ページ番号付与処理の詳細な処理手順の一例を示すフローチャートである。
【図１４】補助ページ番号付与処理の詳細な処理手順の一例を示すフローチャートである。
【図１５】連続ページ数判定処理の詳細な処理手順の一例を示すフローチャートである。
【図１６】補助ページ番号生成処理の詳細な処理手順の一例を示すフローチャートである。
【発明を実施するための形態】
【００１７】
以下、本発明に関する好ましい実施形態について図面を参照しつつ詳細に説明する。尚、以下に説明する実施形態において互いに共通する部材には同一符号を付しており、それらについての重複する説明は省略する。
【００１８】
図１は、本実施形態における画像形成装置１の外観構成の一例を示す斜視図である。この画像形成装置１は、デジタル複合機やＭＦＰ（Multi Function Peripheral）などと呼ばれる装置であり、印刷対象となる印刷画像データを生成又は取得し、その印刷画像データに基づいて印刷用紙などのシート材に対して画像形成を行って印刷出力を行うものである。この画像形成装置１は、画像形成部２と、複数の給紙トレイ３ａ，３ｂ，３ｃを備えて構成される給紙部３と、画像読取部８とを備えた装置本体１ａと、その装置本体１ａの右側にオプション機器として設置される大容量給紙ユニット４と、装置本体１ａの左側に設置される後処理ユニット５とを備えて構成される。また装置本体１ａの正面側には、ユーザが画像形成装置１に対する各種設定操作を行うための操作パネル７が設けられている。
【００１９】
画像読取部８は、いわゆるスキャナ部であり、ユーザによってセットされた原稿を読み取って印刷対象となる印刷画像データを生成するものである。画像形成部２は、印刷画像データに含まれる１ページずつの画像に基づき、給紙部３又は大容量給紙ユニット４から給紙される１枚ずつのシート材に画像形成を行って出力するものである。画像形成装置１において画像形成が行われたシート材は、装置本体１ａの内部から後処理ユニット５に搬送される。
【００２０】
後処理ユニット５は、装置本体１ａから搬送されシート材に対して必要な後処理を行って出力するユニットである。この後処理ユニット５は、例えば、シート材が所定枚数となるまで保持し、所定枚数のシート材が揃った状態でパンチやステープル、中折りなどの後処理を施し、シート束となった印刷物を出力する。この後処理ユニット５は、複数の排出トレイ６ａ，６ｂ，６ｃを備えており、必要な後処理を施した印刷物を複数の排出トレイ６ａ，６ｂ，６ｃのいずれかに排出するように構成されている。
【００２１】
本実施形態の画像形成装置１は、印刷画像データに、論文や出版物などの本編に関する本編画像に関するページと、参考文献や広告、クーポンなどの付録画像に関するページとが含まれる場合、シート材に対して複数ページから成る本編画像をページ毎に順次印刷していく際に、予め指定された本編画像のページ間に付録画像のページを挿入して印刷出力を行う挿入印刷機能を備えている。
【００２２】
図２は、挿入印刷機能の概念を説明する図である。画像形成装置１は、挿入印刷機能により、図２に示すように、複数ページから成る本編画像に対し、所定のページ間に付録画像のページを挿入して印刷出力を行うことができる。図例の場合、付録画像は、本編画像の２箇所のページ間に挿入されている。ただし、付録画像の挿入位置は、必ずしも２箇所に限られず、１箇所であっても良いし、３箇所以上であっても良い。また本編画像の先頭に付録画像を挿入したり、本編画像の後尾に付録画像を挿入したりすることも可能である。
【００２３】
画像形成装置１は、このような挿入印刷を行う際、画像読取部８が原稿を読み取ることによって印刷対象となる印刷画像データを生成することができる。この場合、例えば、原稿には、本編画像のページのみが含まれており、ユーザによって指定された本編画像のページ間に画像形成装置１が予め記憶している付録画像のページを挿入して印刷画像データを生成しても良い。また、これに限らず、例えば原稿そのものが、本編画像のページ間に予め付録画像のページが挿入された状態となっており、画像読取部８が原稿の各ページの画像を順に読み取ることによって印刷画像データを生成するものであっても構わない。
【００２４】
また、このような画像形成装置１は、ネットワークなどに接続され、外部のコンピュータなどから印刷対象となる画像データを取得することも可能である。この場合、例えば、ネットワークを取得する画像データには、本編画像のページのみが含まれており、ユーザによって指定された本編画像のページ間に画像形成装置１が予め記憶している付録画像のページを挿入して印刷画像データを生成しても良い。また、これに限らず、例えばネットワークを取得する画像データそのものが、本編画像のページ間に予め付録画像のページが挿入されたデータとなっており、その画像データに基づいて印刷画像データを生成するものであっても構わない。
【００２５】
また画像形成装置１は、印刷画像データに基づいて印刷出力を行う際、印刷画像データに含まれる各ページの画像にページ番号を付与して印刷出力を行うことができるようになっている。特に、上述した挿入印刷を行う際、画像形成装置１は、本編画像のページに対して本編ページ番号を付与し、付録画像のページに対して本編ページ番号とは異なる補助ページ番号を付与して印刷出力を行うことができる構成である。以下、このような本実施形態の画像形成装置１について詳しく説明する。
【００２６】
図３は、画像形成装置１のハードウェア構成の一例を示すブロック図である。図２に示すように、画像形成装置１は、操作パネル７と、制御部１０と、記憶装置９と、画像読取部８と、画像処理部１４と、画像形成部２と、給紙搬送部１５と、後処理ユニット５と、ネットワークインタフェース１６とを備えている。
【００２７】
操作パネル７は、ユーザが画像形成装置１を操作する際のユーザインタフェースとなるものである。この操作パネル７は、カラー液晶ディスプレイなどで構成される表示部７ａと、その表示部７ａの表示画面上に配置されたタッチパネルキーおよび表示画面の周囲に配置された押しボタンキーで構成される操作部７ｂとを有しており、ユーザに対して各種の情報を表示すると共に、ユーザからの入力操作を受け付ける。
【００２８】
制御部１０は、各部を制御するためのものである。この制御部１０は、ＣＰＵ１１と、ＲＡＭ１２と、ＲＯＭ１３とを備えており、ＣＰＵ１１がＲＯＭ１３に予め記録されているプログラムを読み出して実行することにより、各種処理部としての機能を実現する。ＲＡＭ１２は、ＣＰＵ１１がプログラムを実行する際に必要となる一時的なデータなどを記憶するためのものである。
【００２９】
記憶装置９は、ハードディスク装置などの不揮発性の記憶手段で構成される。この記憶装置９には、各ページの画像にページ番号を付与して印刷出力を行う際にユーザによって指定されるページ番号に関する情報であるページ付与設定情報１８が記憶される。
【００３０】
画像読取部８は、上述したように原稿を読み取って印刷対象となる画像データを生成する。このような画像読取部８によって生成される画像データは、図示しない画像メモリなどに一時的に記憶される。
【００３１】
画像処理部１４は、画像形成装置１において印刷出力が行われる際に、画像メモリに格納されている印刷画像データを読み出し、必要な画像処理を行うものである。例えば、この画像処理部１４は、印刷出力が行われる場合、印刷画像データに含まれる各ページの画像に対し、制御部１０からのページ番号の付与の指示に基づいて、指定されたページ番号の画像を貼り付ける。特に、上述した挿入印刷が行われる場合には、制御部１０からの指示に基づいて、本編画像のページに対して本編ページ番号の画像を貼り付け、付録画像のページに対して補助ページ番号の画像を貼り付けて出力する。
【００３２】
また画像処理部１４は、制御部１０からの指示に基づき、１枚のシート材に対して複数ページ分の画像を割り付けて出力することも可能である。例えば、画像形成装置１において冊子印刷が行われる場合、１枚のシート材の表裏両面に対し、２ページずつの画像を割り付けて出力する。尚、１枚のシート材に対して１ページ分の画像が印刷される場合には、画像処理部１４においてこのような割り付け処理は行われない。
【００３３】
画像形成部２は、画像メモリに記憶されている印刷画像データを読み出し、上述したように、その印刷画像データに含まれる画像に基づいて給紙搬送部１５によって搬送されるシート材に画像形成を行って出力する。このとき、画像形成部２は、画像処理部１４によってページ番号の画像が貼り付けられている場合、そのページ番号の画像が貼り付けられている画像に基づいて画像形成を行うため、各ページの画像にページ番号を印字した状態で印刷出力を行うことができる。
【００３４】
給紙搬送部１５は、給紙部３又は大容量給紙ユニット４からシート材を１枚ずつ取り出して給紙搬送を行うものである。この給紙搬送部１５によって搬送されるシート材は、画像形成部２における所定の画像転写位置を通過する際に画像が転写される。その後、図示しない定着部を通過することにより転写された画像が出力紙に定着し、画像形成が行われる。この給紙搬送部１５は、シート材の表裏を反転させる反転経路を有しており、その反転経路にシート材を通すことにより、シート材の表裏を反転させることが可能である。このようなシート材の反転機能により、画像形成部２は、シート材の表裏両面に画像形成を行うことができる。
【００３５】
ネットワークインタフェース１６は、ＬＡＮなどのネットワークを介して他の装置とデータ通信を行うためのものである。このネットワークインタフェース１６は、印刷対象となる画像データを取得することも可能である。そして、ネットワークを介して取得された画像データは、図示しない画像メモリに一時的に記憶される。
【００３６】
図４は、画像形成装置１において挿入印刷が行われる際の制御部１０の機能構成の一例を示すブロック図である。図４に示すように、制御部１０は、上述したＣＰＵ１１が所定のプログラムを実行することにより、挿入印刷設定部２１、印刷画像生成部２４、ページ番号付与部２５および印刷制御部２６として機能する。制御部１０は、ユーザによって画像形成装置１の挿入印刷機能が選択された場合に、これらの各部を順次機能させる。
【００３７】
挿入印刷設定部２１は、挿入印刷に関する印刷ジョブの設定を行う処理部である。この挿入印刷設定部２１は、例えば、操作パネル７を介してユーザにより入力される情報に基づいて挿入印刷に関する印刷ジョブを設定する。この場合、挿入印刷設定部２１は、操作パネル７の表示部７ａに挿入印刷に関する設定操作画面を表示し、その設定操作画面を表示している状態で操作部７ｂに対して行われる入力操作を受け付ける。ただし、ネットワークを介して挿入印刷の対象となる画像データが取得された場合には、挿入印刷設定部２１は、その取得された画像データに付加されている情報に基づいて挿入印刷に関する印刷ジョブを設定する。尚、以下においては、ユーザが操作パネル７を操作して挿入印刷に関する情報を入力する場合を例示する。
【００３８】
この挿入印刷設定部２１は、挿入印刷に関する印刷ジョブを設定する際、ユーザによって入力される情報に基づいてページ付与設定情報１８を生成し、記憶装置９に記憶する。このとき、挿入印刷設定部２１は、挿入位置指定部２２および付録画像指定部２３として機能する。
【００３９】
挿入位置指定部２２は、本編画像のページに対して付録画像のページを挿入する挿入位置を特定し、その挿入位置を本編画像のページ番号によって指定する。ここで、本編画像の複数箇所に付録画像が挿入される場合には、挿入位置指定部２２は、それら複数箇所のそれぞれを、付録画像の挿入位置を本編画像のページ番号によって指定する。尚、本実施形態では、付録画像の挿入位置はユーザによって指示されるようになっており、挿入位置指定部２２は、ユーザの指示に基づいて付録画像の挿入位置を特定する。
【００４０】
付録画像指定部２３は、挿入位置指定部２２によって指定された挿入位置に挿入される付録画像の連続ページ数を特定し、その連続ページ数を指定する。本実施形態では、付録画像の連続ページ数は、挿入位置ごとにユーザによって指示されるようになっており、付録画像指定部２３は、ユーザの指示に基づいて付録画像の連続ページ数を特定する。
【００４１】
ここで、ユーザによる入力操作の一例について説明する。図５は、挿入印刷設定部２１によって操作パネル７の表示部７ａに表示される設定操作画面を示す図である。
【００４２】
まず、図５（ａ）は、挿入印刷に関する基本設定画面である。この基本設定画面には、ユーザが付録画像の挿入位置と連続ページ数とを入力するための付録画像設定欄７１と、付録画像設定欄７１に入力された情報をユーザに確認させるために表示する設定表示欄７２と、ユーザがページ番号の付与設定を行うためのページ番号設定ボタン７３と、この基本設定画面における全ての設定操作を反映させるために操作するＯＫボタン７４と、この基本設定画面における全ての設定操作をキャンセルするためのキャンセルボタン７５とが表示される。
【００４３】
ユーザは、表示部７ａに基本設定画面が表示されているとき、付録画像設定欄７１に対し、付録画像の挿入位置として本編画像のページ番号を入力し、その付録画像が連続する連続ページ数を入力する。そして追加ボタンを操作すると、それによって追加された付録画像に関する情報が設定表示欄７２に表示される。本編画像のページ間に挿入する全ての付録画像に関する情報の入力が終了すると、ユーザは次にページ番号設定ボタン７３を操作する。すると、表示部７ａに表示される設定操作画面は、図５（ａ）から図５（ｂ）の状態に遷移する。
【００４４】
図５（ｂ）は、挿入印刷を行う際のページ番号設定画面である。このページ番号設定画面には、挿入印刷時に出力される各ページに対してページ番号を印刷するか否かを設定するための印刷設定欄７６と、ページ番号を印刷する場合に本編画像のページに付与する本編ページ番号の開始番号（初期値）を設定するための開始番号設定欄７７と、本編ページ番号の印刷形式（表示形式）を選択設定するための印刷形式設定欄７８と、付録画像のページに付与する補助ページ番号の設定を行うための補助ページ設定ボタン７９と、このページ番号設定画面における全ての設定操作を反映させるために操作するＯＫボタン８０と、このページ番号設定画面における全ての設定操作をキャンセルするためのキャンセルボタン８１とが表示される。
【００４５】
ユーザは、表示部７ａにページ番号設定画面が表示されているとき、印刷設定欄７６に対し、ページ番号を印刷するか否かを設定する。尚、図５（ｂ）の例では、「印刷する」が選択された状態を示している。そしてユーザは、本編画像のページに付与するページ番号の初期値を開始番号設定欄７７に設定する。尚、この開始番号は、「１」がデフォルト値となっており、ユーザがデフォルト値の変更操作を行わない場合にはこのデフォルト値が採用される。そしてユーザは、印刷形式設定欄７８において表示されている複数の印刷形式の中から一の印刷形式を選択することにより、本編ページ番号の印刷形式を設定する。尚、図５（ｂ）の例では、「Ｐ１，Ｐ２，Ｐ３，…」という印刷形式が選択された状態を示している。本編画像のページ番号に関する設定が終了すると、ユーザは次に補助ページ設定ボタン７９を操作することにより、付録画像のページに付与される補助ページ番号の設定を行うことが可能になる。この場合、表示部７ａに表示される設定操作画面は、図５（ｂ）から図５（ｃ）の状態に遷移する。
【００４６】
図５（ｃ）は、挿入印刷を行う際の補助ページ設定画面である。この補助ページ設定画面には、挿入印刷時に出力される付録画像のページに対して補助ページ番号を印刷するか否かを設定するための印刷設定欄８２と、補助ページ番号を印刷する場合に補助ページ番号の印刷形式（表示形式）を選択設定するための印刷形式設定欄８３と、この補助ページ設定画面における全ての設定操作を反映させるために操作するＯＫボタン８４と、この補助ページ設定画面における全ての設定操作をキャンセルするためのキャンセルボタン８５とが表示される。
【００４７】
ユーザは、表示部７ａに補助ページ設定画面が表示されているとき、印刷設定欄８２に対し、補助ページ番号を印刷するか否かを設定する。尚、図５（ｃ）の例では、「印刷する」が選択された状態を示している。そしてユーザは、印刷形式設定欄８３において表示されている複数の印刷形式の中から一の印刷形式を選択することにより、補助ページ番号の印刷形式を設定する。図５（ｃ）の例では、「±表示形式」という印刷形式が選択された状態を示しているが、本実施形態では、「±表示形式」の他に、「ｎ／Ｎ表示形式」という印刷形式を選択することができるようになっている。そしてユーザは、全ての操作が完了した場合には、ＯＫボタン８４を操作することにより、上記設定を確定させることができる。
【００４８】
図４に戻り、挿入印刷設定部２１は、上記のようにしてユーザにより設定される内容に基づいてページ付与設定情報１８を生成する。このページ付与設定情報１８には、本編画像に対する付録画像の挿入位置として指定された本編画像のページ番号に関する情報、本編画像に挿入される付録画像の連続ページ数に関する情報、本編画像のページに付与される本編ページ番号の印刷形式に関する情報、付録画像のページに付与される補助ページ番号の印刷形式に関する情報などが含まれる。尚、本編ページ番号と補助ページ番号のいずれも「印刷しない」設定となっている場合には、このようなページ付与設定情報１８は生成されなくても良い。
【００４９】
印刷画像生成部２４は、挿入印刷設定部２１によって設定された印刷ジョブに基づき、印刷対象となる印刷画像データを生成する処理部である。この印刷画像生成部２４は、例えば画像読取部８を制御することにより、ユーザによってセットされた原稿の読み取り動作を行わせ、印刷対象となる印刷画像データを生成する。挿入印刷が行われる場合、この印刷画像生成部２４は、本編画像のページ間に付録画像のページを挿入した印刷画像データを生成する。
【００５０】
ページ番号付与部２５は、挿入印刷設定部２１によって本編ページ番号又は補助ページ番号を印刷することが指定された場合に機能し、本編画像のページに対して本編ページ番号を付与し、付録画像のページに対して補助ページ番号を付与する処理部である。このページ番号付与部２５は、記憶装置９からページ付与設定情報１８を読み出し、そのページ付与設定情報１８に基づいて、本編画像の各ページに対して本編ページ番号を付与すると共に、付録画像の各ページに対して本編ページ番号とは異なる補助ページ番号を付与する。特に付録画像の各ページに対する補助ページ番号を付与する際、ページ番号付与部２５は、付録画像のページの挿入位置と、付録画像の連続ページ数とに基づき、後述するように、直近の本編ページ番号を指し示す補助ページ番号を生成し、その生成した補助ページ番号を当該付録画像のページに対して印刷すべきことを設定する。このようにページ番号付与部２５は、本編画像のページに対して本編ページ番号を付与し、付録画像のページに対して補助ページ番号を付与するように構成される。
【００５１】
また本実施形態のページ番号付与部２５は、本編画像のページ間に挿入される付録画像の連続ページ数が２ページ以上であるか否かを判断し、２ページ以上である場合には、付録画像の各ページに対して補助ページ番号を付与し、連続ページ数が１ページである場合には付録画像のページに対して補助ページ番号を付与しないように構成される。連続ページ数が１ページの場合に補助ページ番号を付与しない理由としては次の２つの理由がある。第１に、本編画像に対して挿入される付録画像が１ページである場合は、そのページをめくると本編ページ番号が付与された本編画像のページが現れるので、補助ページ番号が付与されていなくても、本編画像の特定のページを見つけるのにそれほど時間がかからないことから、補助ページ番号を付与する必要性が低いからである。第２に、補助ページ番号は本編ページ番号とは異なる態様で印刷されるため、付録画像の印刷された１ページだけが両隣の本編ページ番号と異なる態様のページ番号になっていると、ユーザに違和感を生じさせる可能性があるからである。このような理由により、本実施形態では、付録画像の連続ページ数が１ページの場合には、その付録画像のページに対して補助ページ番号を付与しないようになっている。
【００５２】
さらに本実施形態のページ番号付与部２５は、後述するように、画像形成装置１において例えば冊子印刷が行われる場合には、付録画像の連続ページ数が２ページであっても、その２ページの付録画像が、印刷物として出力された冊子を見開いたときに左右の両ページに位置するか否かを判断する。そして、その２ページ分の付録画像が印刷物を見開いたときの左右の両ページに位置する場合には付録画像の各ページに対して補助ページ番号を付与し、２ページ分の付録画像が左右いずれかの片方のページにのみ位置する場合には付録画像の各ページに対して補助ページ番号を付与しないように構成される。尚、このように構成される理由は、上記と同様である。
【００５３】
したがって、本実施形態のページ番号付与部２５は、ユーザが上述した設定操作画面を操作することにより、補助ページ番号を印刷することを指定した場合でも、本編画像に挿入される付録画像の連続ページ数が所定ページよりも少ないときには付録画像のページに対して補助ページ番号が印刷されないこともある。そしてページ番号付与部２５は、本編画像のページに対する本編ページ番号又は付録画像のページに対する補助ページ番号を付与した場合、画像処理部１４に対して本編ページ番号又は補助ページ番号の画像を貼り付けることを指示する。
【００５４】
これにより、画像処理部１４は、印刷画像データに含まれる各ページの画像に対し、ページ番号付与部２５からの指示に基づいて、本編画像のページに対して本編ページ番号の画像を貼り付け、付録画像のページに対して補助ページ番号の画像を貼り付けて印刷画像データを更新する。
【００５５】
印刷制御部２６は、画像形成部２を制御することにより、印刷出力のための動作を行わせる処理部である。挿入印刷の場合、この印刷制御部２６は、本編ページ番号又は補助ページ番号の画像が貼り付けられた印刷画像データに基づいて印刷出力を行わせるため、それらのページ番号が各ページに印刷された状態で出力されるようになる。ただし、補助ページ番号が付与されず、本編ページ番号のみが付与されている場合には、補助ページ番号の印刷されていない印刷物が出力されるようになる。
【００５６】
次に、付録画像のページに付与される補助ページ番号について説明する。図６は、付録画像のページに印刷される補助ページ番号の一例を示す図である。図６には、上述した「±表示形式」の補助ページ番号が印刷された例を示している。図６に示すように、この例では、付録画像のページ下部左右２箇所の位置に２つの補助ページ番号ＰＤ１，ＰＤ２が印刷される。このうち、左側に印刷される補助ページ番号ＰＤ１は、「Ｐ４＋１」となっている。つまり、この補助ページ番号ＰＤ１は、この付録画像のページの左側前方に本編画像のページ「Ｐ４」が位置しており、この付録画像のページがその本編画像のページ「Ｐ４」から後方側に挿入された付録画像の１ページ目であることを示している。一方、右側に印刷される補助ページ番号ＰＤ２は、「Ｐ５−４」となっている。つまり、この補助ページ番号ＰＤ２は、この付録画像のページの右側後方に本編画像のページ「Ｐ５」が位置しており、この付録画像のページがその本編画像のページ「Ｐ５」から前方側に挿入された付録画像の４ページ目であることを示している。このように補助ページ番号ＰＤ１，ＰＤ２は、当該付録画像の前後直近に位置する本編画像の本編ページ番号と、その本編ページ番号から当該付録画像までのページ数とを合わせて表記したページ番号となっており、当該付録画像のページの前後直近に位置する本編画像のページの本編ページ番号を指し示す情報となっている。
【００５７】
図７は、挿入印刷によって出力される各ページに印刷されるページ番号の一例を表した図である。この図７では、図６に示したように、「±表示形式」の補助ページ番号が印刷された例を示している。例えば、本編画像の４ページと５ページの間に４ページ連続する付録画像のページが挿入して印刷され、更に本編画像の１４ページと１５ページの間にも４ページ連続する付録画像のページが挿入して印刷される場合、各ページに印刷されるページ番号は図７に示す通りである。つまり、本編画像の各ページには、ユーザによって指定された本編ページ番号が印刷され、付録画像の各ページには、付録画像のページの前後直近に位置する本編画像のページの本編ページ番号を指し示す補助ページ番号が印刷される。本編画像のページ間に挿入された付録画像のページが連続する場合には、補助ページ番号における数値（直近の本画像のページから数えて何ページになるかを示す数値）が１ずつ増加していくようになっている。したがって、付録画像の各ページに「±表示形式」の補助ページ番号が印刷されて出力されることにより、付録画像のページを開いたときでも、何ページ前方側若しくは後方側にページをめくれば本編画像の何ページ目があるかを容易に把握することが可能である。
【００５８】
一方、図８は、付録画像のページに印刷される補助ページ番号の別の例を示す図である。図８には、上述した「ｎ／Ｎ表示形式」の補助ページ番号が印刷された例を示している。図８に示すように、この例では、付録画像のページ下部において左右両側と中央の３箇所の位置に３つの補助ページ番号ＰＤ３，ＰＤ４，ＰＤ５が印刷される。このうち、左側に印刷される補助ページ番号ＰＤ３は、「Ｐ４←」となっている。つまり、この補助ページ番号ＰＤ３は、この付録画像のページの左側前方に本編画像のページ「Ｐ４」が位置していることを示している。一方、右側に印刷される補助ページ番号ＰＤ４は、「→Ｐ５」となっている。つまり、この補助ページ番号ＰＤ４は、この付録画像のページの右側後方に本編画像のページ「Ｐ５」が位置している。さらに中央に印刷される補助ページ番号ＰＤ５は、「１／４」となっている。つまり、この補助ページ番号ＰＤ５は、４ページ連続する付録画像の１ページ目であることを示している。したがって、これらの補助ページ番号ＰＤ３，ＰＤ４，ＰＤ５は、当該付録画像の前後直近に位置する本編画像の本編ページ番号と、連続する付録画像の全ページ数における当該付録画像のページ番号とを合わせて表記したページ番号となっており、当該付録画像のページの前後直近に位置する本編画像のページの本編ページ番号を指し示す情報となっている。
【００５９】
図９は、挿入印刷によって出力される各ページに印刷されるページ番号の一例を表した図である。この図９では、図８に示したように、「ｎ／Ｎ表示形式」の補助ページ番号が印刷された例を示している。例えば、本編画像の４ページと５ページの間に４ページ連続する付録画像のページが挿入して印刷され、更に本編画像の１４ページと１５ページの間にも４ページ連続する付録画像のページが挿入して印刷される場合、各ページに印刷されるページ番号は図９に示す通りである。つまり、本編画像の各ページには、ユーザによって指定された本編ページ番号が印刷され、付録画像の各ページには、付録画像のページの前後直近に位置する本編画像のページの本編ページ番号を指し示す補助ページ番号が印刷される。本編画像のページ間に挿入された付録画像のページが連続する場合には、補助ページ番号における数値（直近の本画像のページから数えて何ページになるかを示す数値）が１ずつ増加していくようになっている。したがって、付録画像の各ページに「ｎ／Ｎ表示形式」の補助ページ番号が印刷されて出力される場合でも、「±表示形式」と同様に、付録画像のページを開いたときでも、何ページ前方側若しくは後方側にページをめくれば本編画像の何ページ目があるかを容易に把握することが可能である。
【００６０】
このように本実施形態の画像形成装置１は、制御部１０において上述した各処理が機能することにより、挿入印刷によってページ番号が付与された印刷物をユーザが開いたとき、付録画像のページを開いてしまったときでも、そのページから何ページ前方側若しくは後方側にめくれば本編画像の何ページ目があるかを容易に把握することができるので、ユーザが閲覧したい本編画像のページを開くまでに時間がかからず、印刷物としての利便性が向上する。
【００６１】
次に図１０は、冊子印刷で付録画像の連続ページ数が２ページのときに補助ページ番号が印刷されるページ配置状態を示す図である。図１０（ａ），（ｂ），（ｃ）はいずれも、連続する２ページの付録画像が、印刷物として出力された冊子を見開いたときに左右の両ページに位置する場合を示している。これらいずれの場合でも、印刷物を見開いたときには左右の両ページに付録画像が印刷されているため、これらのページを開いてしまうと、ユーザにとっては閲覧しようとしている本編画像のページがこれら付録画像のページの前にあるのか、或いは後にあるのかが判らない。
【００６２】
そのため、本実施形態では、付録画像の連続ページ数が２ページの場合であっても、図１０（ａ），（ｂ），（ｃ）のいずれかのように２ページ分の付録画像が印刷物を見開いたときに左右の両ページに位置する場合には付録画像の各ページに対して補助ページ番号が付与される。それ故、補助ページ番号によって直近に位置する本編ページ番号が指し示されるようになり、ユーザにとっては閲覧しようとしている本編画像のページがこれら付録画像のページの前にあるのか、或いは後にあるのかを容易に把握することができるようになる。
【００６３】
一方、図１１は、冊子印刷で付録画像の連続ページ数が２ページのときに補助ページ番号が印刷されないページ配置状態を示す図である。図１１（ａ），（ｂ），（ｃ），（ｄ），（ｅ），（ｆ）はいずれも、連続する２ページの付録画像が、印刷物として出力された冊子を見開いたときに左右いずれかの片方のページにのみ位置する場合を示している。例えば図１１（ａ），（ｂ），（ｃ）では、冊子を見開いたときの左側のページに付録画像が印刷されるケースを示している。また図１１（ｄ），（ｅ），（ｆ）では、冊子を見開いたときの右側のページに付録画像が印刷されるケースを示している。これらいずれの場合でも、付録画像が印刷されたページの裏面側がもう一つの連続する付録画像のページとなっている。このように、連続する２ページの付録画像が左右いずれかの片方のページにのみ印刷される場合には、見開いた状態の他方のページに本編画像のページが印刷される。そのため、このようなページを開いてしまった場合でも、ユーザにとっては付録画像のページの隣に印刷されている本編画像のページの本編ページ番号を確認することが可能である。
【００６４】
そのため、本実施形態では、付録画像の連続ページ数が２ページの場合であっても、図１１（ａ）〜（ｆ）のいずれかのように２ページ分の付録画像が印刷物を見開いたときの左右の片方のページのみに位置する場合には、付録画像のページに対して補助ページ番号を付与することなく、補助ページ番号を印刷しないように構成される。それ故、本編ページ番号が印刷される本編画像の隣のページに本編ページ番号とは異なる補助ページ番号が印刷されることはなく、ユーザがこのようなページを開いたときにページ番号に対して違和感を生じてしまうことを良好に防止することができる。
【００６５】
次に、上記のように構成される画像形成装置１における動作について説明する。図１２乃至図１６は、画像形成装置１において主に制御部１０によって行われる処理手順の一例を示すフローチャートであり、図１２は、その主たる処理手順を示すフローチャートである。制御部１０は、この処理を開始すると、まず挿入印刷設定処理を行う（ステップＳ１）。この挿入印刷設定処理では、上述した挿入印刷設定部２１が機能し、挿入印刷に関するジョブの設定が行われる。このとき、ページ付与設定情報１８が生成され、記憶装置９に保存される。そして挿入印刷設定処理が終了すると、制御部１０は、印刷画像データ生成処理を行う（ステップＳ２）。この印刷画像データ生成処理では、上述した印刷画像生成部２４が機能し、挿入印刷の対象となる印刷画像データが生成される。そして印刷画像データ生成処理が終了すると、制御部１０は、ページ番号付与処理を行う（ステップＳ３）。このページ番号付与処理では、上述したページ番号付与部２５が機能し、ページ付与設定情報１８に基づいて本編画像のページと付録画像のページとのそれぞれに対してページ番号が付与される。尚、このページ番号付与処理の詳細については後述する。そしてページ番号付与処理が終了すると、制御部１０は、印刷出力処理を行う（ステップＳ４）。この処理では、上記ステップＳ１，Ｓ２，Ｓ３で設定された内容に基づいて印刷出力のための動作制御が行われる。挿入印刷の場合には、この印刷出力処理により、複数ページから成る本編画像のページに対し、予め指定された位置に付録画像のページが挿入された状態の印刷物が出力されるようになる。また、冊子印刷が行われる場合には、１枚のシート材に複数ページ分の本編画像又は付録画像が割り付けられた状態で印刷出力が行われるため、冊子状の印刷物が出力されるようになる。
【００６６】
図１３は、上述したページ番号付与処理（ステップＳ３）の詳細な処理手順の一例を示すフローチャートである。制御部１０は、この処理を開始すると、まず印刷画像データの全ページ数Ｍを取得する。この全ページ数Ｍは、本編画像の全ページ数と付録画像の全ページ数とを合計した値であり、画像形成装置１から出力される印刷物としての全ページ数である。そして制御部１０は、本編ページ番号ＰＡを初期化する（ステップＳ１１）。ここで、本編ページ番号ＰＡの初期値には、ユーザによって指定された開始番号が採用される。本実施形態では、本編ページ番号ＰＡが「１」に初期化される場合を例示する。
【００６７】
そして制御部１０は、ページ付与設定情報１８を記憶装置９から読み出し（ステップＳ１２）、そのページ付与設定情報１８に基づいて付録画像の挿入位置を設定する（ステップＳ１３）。ここでは、ページ付与設定情報１８において、本編画像のページに対して付録画像のページを挿入すべき複数の挿入位置が設定されている場合、それら複数の挿入位置のそれぞれが設定される。そして制御部１０は、ページカウント値Ｃを「１」に初期化し（ステップＳ１４）、各ページに対してページ番号を付与するためにステップＳ１５に進む。
【００６８】
各ページに対してページ番号を付与する処理に進むと、制御部１０は、まずページカウント値Ｃで定義されるＣページ目のページ判断処理を行う（ステップＳ１５）。このページ判断により、Ｃページ目が付録画像の挿入位置であるか否かが判別される。そしてＣページ目が付録画像の挿入位置であるか否かを判断し（ステップＳ１６）、付録画像の挿入位置である場合（ステップＳ１６でＹＥＳ）、制御部１０は、補助ページ番号付与処理を実行する（ステップＳ１７）。この補助ページ番号付与処理では、この挿入位置に挿入される付録画像のページに対して補助ページ番号を付与する処理が行われる。尚、この補助ページ番号付与処理の詳細については後述する。
【００６９】
一方、付録画像の挿入位置でなかった場合（ステップＳ１６でＮＯ）、制御部１０は、Ｃページ目に対して本編ページ番号ＰＡを付与し（ステップＳ１８）、その後、本編ページ番号ＰＡに「１」を加算して本編ページ番号ＰＡの値を更新する（ステップＳ１９）。そしてページカウント値Ｃに「１」を加算し、ページカウント値Ｃを更新する（ステップＳ２０）。
【００７０】
そして制御部１０は、ページカウント値Ｃが全ページ数Ｍの値を越えたか否かを判断する（ステップＳ２１）。その結果、ページカウント値Ｃが全ページ数Ｍの値を越えていない場合（ステップＳ２１でＮＯ）は、ステップＳ１５に戻り、上述した処理を繰り返す。これに対し、ページカウント値Ｃが全ページ数Ｍの値を超えている場合（ステップＳ２１でＹＥＳ）は、全てのページに対する処理が完了するので、ページ番号付与処理が終了する。
【００７１】
次に図１４は、補助ページ番号付与処理（ステップＳ１７）の詳細な処理手順の一例を示すフローチャートである。制御部１０は、この処理に進むと、まずこの挿入位置に挿入される付録画像の連続ページ数Ｒを取得する（ステップＳ３０）。そして補助ページ番号に関する印刷設定が「印刷する」になっているか否かを確認する（ステップＳ３１）。その結果、「印刷する」になっている場合（ステップＳ３１でＹＥＳ）、制御部１０は、連続ページ数判定処理を行う（ステップＳ３２）。この連続ページ数判定処理では、冊子印刷の場合に連続ページ数が２ページ以上であるか否かが判断され、その判断結果に基づいて補助ページ番号の印刷設定が有効又は無効に切り替えられる。尚、補助ページ番号に関する印刷設定が「印刷しない」になっている場合は（ステップＳ３１でＮＯ）、ステップＳ３４に進む。
【００７２】
ここで、連続ページ数判定処理（ステップＳ３２）について詳しく説明する。図１５は、連続ページ数判定処理（ステップＳ３２）の詳細な処理手順の一例を示すフローチャートである。図１５に示すように、制御部１０は、この処理を開始すると、まず冊子印刷が行われるか否かを判断する（ステップＳ５０）。その結果、冊子印刷でない場合（ステップＳ５０でＮＯ）、ステップＳ５４に進む。一方、冊子印刷の場合（ステップＳ５０でＹＥＳ）、制御部１０は、付録画像の連続ページ数Ｒが２以上であるか否かを判断する（ステップＳ５１）。その結果、連続ページ数が２ページ未満である場合（ステップＳ５１でＮＯ）、付録画像が１ページだけ挿入されることになるので、ステップＳ５５に進む。これに対し、連続ページ数Ｒが２以上である場合（ステップＳ５１でＹＥＳ）、制御部１０は、更に連続ページ数Ｒが「２」であるか否かを判断する（ステップＳ５２）。そして付録画像の連続ページ数Ｒが「２」である場合（ステップＳ５２でＹＥＳ）、制御部１０は、冊子印刷が行われた場合に、２ページ分の付録画像が冊子を見開いたときに左右の両ページに位置するか否かを判断する（ステップＳ５３）。そして左右の両ページに位置すると判断した場合（ステップＳ５３でＹＥＳ）、ステップＳ５４に進む。また付録画像の連続ページ数Ｒが３ページ以上である場合（ステップＳ５２でＮＯ）は、ステップＳ５３の判断は行うことなく、ステップＳ５４に進む。一方、付録画像の連続ページ数Ｒが２ページの場合であって、その２ページが左右の両ページのうちの片方のページのみに位置する場合（ステップＳ５３でＮＯ）は、ステップＳ５５に進む。
【００７３】
そして制御部１０は、ステップＳ５４に進んだ場合、補助ページ番号の印刷設定を有効にして連続ページ数判定処理（ステップＳ３２）を終了する。またステップＳ５５に進んだ場合には、補助ページ番号の印刷設定を無効にして連続ページ数判定処理（ステップＳ３２）を終了する。すなわち、この連続ページ数判定処理では、冊子印刷でない場合、付録画像の連続ページ数Ｒが３ページ以上である場合、および、付録画像の連続ページ数が２ページであってその２ページ分の付録画像が冊子を見開いたときの左右の両ページに位置する場合には、補助ページ番号が印刷されるように印刷設定を有効と判定する処理が行われる。これに対し、付録画像の連続ページが１ページである場合、或いは２ページであっても各ページが左右の片方のページにのみ位置する場合には、補助ページ番号が印刷されないように印刷設定を無効と判定する処理が行われる。
【００７４】
次に図１４に戻り、制御部１０は、連続ページ数判定処理によって補助ページ番号の印刷設定が有効と判定されたか否かを判断し（ステップＳ３３）、有効と判定された場合には（ステップＳ３３でＹＥＳ）、ステップＳ３５に進む。また、無効と判定された場合には（ステップＳ３３でＮＯ）、ステップＳ３４に進む。
【００７５】
補助ページ番号を印刷しない場合（ステップＳ３１でＮＯ、又はステップＳ３３でＮＯ）、制御部１０は、ページカウント値Ｃの値に対して付録画像の連続ページ数Ｒを加算してページカウント値Ｃを更新し（ステップＳ３４）、補助ページ番号付与処理を終了する。
【００７６】
一方、補助ページ番号を印刷する場合（ステップＳ３３でＹＥＳ）、制御部１０は、補助ページカウント値Ｈの値を「１」に初期化する（ステップＳ３５）。その後、制御部１０は、現在の補助ページカウント値Ｈの値に基づいて補助ページ番号を生成するための補助ページ番号生成処理を実行する（ステップＳ３６）。このページ番号生成処理では、ユーザによって指定された表示形式に対応する補助ページ番号が生成される。
【００７７】
ここで、補助ページ番号生成処理（ステップＳ３６）について詳しく説明する。図１６は、補助ページ番号生成処理（ステップＳ３６）の詳細な処理手順の一例を示すフローチャートである。図１６に示すように、制御部１０は、この処理を開始すると、まず現在の本編ページ番号ＰＡの値を取得する（ステップＳ６０）。そして制御部１０は、現在の本編ページ番号ＰＡに基づき、前方直近の本編ページ番号を特定し（ステップＳ６１）、更に後方直近の本編ページ番号を特定する（ステップＳ６２）。これにより、挿入される付録画像のページの前後直近に位置する本編画像の本編ページ番号が特定される。そして制御部１０は、ユーザによって指定された表示形式を判別し（ステップＳ６３）、その表示形式に対応する補助ページ番号を生成する（ステップＳ６４）。例えば上述したように、ユーザが「±表示形式」を選択した場合には、この補助ページ番号生成処理により、図６に示したような補助ページ番号ＰＤ１，ＰＤ２が生成される。また、ユーザが「ｎ／Ｎ表示形式」を選択した場合には、この補助ページ生成処理により、図８に示したような補助ページ番号ＰＤ３，ＰＤ４，ＰＤ５が生成される。このような補助ページ番号が生成されると、この処理は終了し、再び図１４のフローチャートに戻る。
【００７８】
そして制御部１０は、補助ページ番号生成処理（ステップＳ３６）によって生成された補助ページ番号を当該ページ（Ｃページ目）のページ番号として付与する（ステップＳ３７）。その後、制御部１０は、補助ページカウント値Ｈの値に１を加算し、補助ページカウント値Ｈを更新する（ステップＳ３８）。また制御部１０は、ページカウント値Ｃの値に１を加算し、ページカウント値Ｃを更新する（ステップＳ３９）。そして、補助ページカウント値Ｈが付録画像の連続ページ数Ｒの値を超えたか否かを判断する（ステップＳ４０）。その結果、補助ページカウント値Ｈが連続ページ数Ｒの値を超えていない場合（ステップＳ４０でＮＯ）、ステップＳ３６に戻り、上述した処理を繰り返す。これに対し、補助ページカウント値Ｈが連続ページ数Ｒの値を超えた場合には（ステップＳ４０でＹＥＳ）、補助ページ番号付与処理が終了する。
【００７９】
本実施形態では、制御部１０が上記のような処理を行うことにより、本編画像のページの間に付録画像のページを挿入して印刷出力する際、補助画像のページには本編ページ番号を印刷して出力することができると共に、付録画像のページには本編ページ番号とは異なる補助ページ番号であって、直近の本編ページ番号を指し示す補助ページ番号を印刷して出力することができるように構成されている。
【００８０】
以上のように、本実施形態の画像形成装置１は、シート材に対して複数ページから成る本編画像をページ毎に順次印刷して出力する際、予め指定された本編画像のページ間に付録画像のページを挿入して印刷出力することが可能であり、そのような印刷出力を行う際には、本編画像の各ページに本編ページ番号を付与すると共に、本編画像のページ間に挿入される付録画像の各ページには本編ページ番号とは異なる補助ページ番号を付与する構成である。そして付録画像の各ページに付与される補助ページ番号は、直近の本編ページ番号を指し示す補助ページ番号となっているため、出力された印刷物の特定の本編ページを閲覧しようとして印刷物を開いたときにでも、ユーザは所望の本編画像のページを容易に探し出すことができるようになっている。それ故、このような画像形成装置１によって出力される印刷物は、ユーザが閲覧したい本編画像のページを開くまでに時間がかからない利便性の高い印刷物となる。
【００８１】
また本実施形態では、上述したように、付録画像の連続ページ数が２ページ以上である場合に付録画像の各ページに対して補助ページ番号を付与し、連続ページ数が１ページである場合には付録画像のページに対して補助ページ番号を付与しないように構成される。これにより、１ページだけの付録画像には補助ページ番号が印刷されなくなり、本編ページ番号と異なる補助ページ番号が１ページだけに印刷されてしまうことによってユーザに違和感を与えてしまうような印刷物となってしまうことを防止することができる。
【００８２】
また本実施形態では、冊子印刷が行われる場合に、付録画像の連続ページ数が２ページであれば、冊子として出力された印刷物を見開いたときにその２ページ分の付録画像が左右の両ページに位置するか否かを判断する。そして２ページ分の付録画像が左右の両ページに位置する場合には、付録画像の各ページに対して補助ページ番号を付与するように構成される。一方、２ページ分の付録画像が左右いずれかの片方のページにのみ位置する場合には付録画像の各ページに対して補助ページ番号を付与しないように構成される。これにより、冊子印刷の場合にも、ユーザに違和感を与えてしまうような態様で補助ページ番号が印刷されてしまうことを防止することができるようになっている。
【００８３】
また本実施形態では、付録画像の連続ページ数Ｒが複数ページである場合、連続する付録画像のページ毎に補助ページ番号を加算して更新する一方、本編ページ番号の番号は更新しないようになっている。そのため、付録画像の挿入位置の前後において本編画像の本編ページ番号を連続させることができるようになる。
【００８４】
また本実施形態では、連続する付録画像のページ毎に補助ページ番号を付与する際、その前後直近の本編画像に対応する本編ページ番号と、その本編ページ番号から当該付録画像までのページ数とを合わせて表記した補助ページ番号（上述した「±表示形式」の補助ページ番号）を付与することができる。このような補助ページ番号によれば、ユーザは補助ページ番号を見れば、直近の本編画像のページまで何ページめくれば良いかを容易に把握することができるようになる。
【００８５】
また本実施形態では、連続する付録画像のページ毎に補助ページ番号を付与する際、その前後直近の本編画像に対応する本編ページ番号と、連続する付録画像の全ページ数における当該付録画像のページ番号とを合わせて表記した補助ページ番号（上述した「ｎ／Ｎ表示形式」の補助ページ番号）を付与することもできる。このような補助ページ番号であっても、ユーザは補助ページ番号を見れば、直近の本編画像のページまで何ページめくれば良いかを容易に把握することができるようになる。
【００８６】
このように本実施形態の画像形成装置１は、ユーザが特定の本編画像のページを閲覧しようとして印刷物を開いたときに付録画像のページが挿入されたページを開いてしまった場合でも、その特定の本編画像のページを容易に探し出すことができる印刷物を出力することが可能である。
【００８７】
以上、本発明に関する一実施形態について説明したが、本発明は上述した内容に限られるものではなく、種々の変形例が適用可能である。
【符号の説明】
【００８８】
１  画像形成装置
２  画像形成部（画像形成手段）
１０  制御部
２１  挿入印刷設定部
２２  挿入位置指定部（挿入位置指定手段）
２３  付録画像指定部（付録画像指定手段）
２４  印刷画像生成部
２５  ページ番号付与部（ページ番号付与手段）
【図１】
2012066418.tif 000003
【図２】
2012066418.tif 000004
【図３】
2012066418.tif 000005
【図４】
2012066418.tif 000006
【図５】
2012066418.tif 000007
【図６】
2012066418.tif 000008
【図７】
2012066418.tif 000009
【図８】
2012066418.tif 000010
【図９】
2012066418.tif 000011
【図１０】
2012066418.tif 000012
【図１１】
2012066418.tif 000013
【図１２】
2012066418.tif 000014
【図１３】
2012066418.tif 000015
【図１４】
2012066418.tif 000016
【図１５】
2012066418.tif 000017
【図１６】
2012066418.tif 000018